(57)【要約】【課題】浴室暖房乾燥機を有効に利用して内部の収納空間を乾燥させることができる浴室収納箱を提供する。【解決手段】浴室暖房乾燥機１を備えた浴室２に設けられる浴室収納箱３であって、浴室２内に臨む開口３０を有してその内部が収納空間３１となる箱体３２を設けると共に前記開口３０に開閉自在な扉３３を設け、浴室２外に設置した浴室暖房乾燥機本体１１に接続されて吸気が可能なダクト１２の先端を前記箱体３２に接続して収納空間３１と連通し、箱体３２に吸気管３４の一端を接続して収納空間３１と連通すると共に、吸気管３４の他端を浴室２内よりも低湿度の浴室２外の空間に連通した。【選択図】図１
2009052852.tif 000002
【特許請求の範囲】
【請求項１】
浴室暖房乾燥機を備えた浴室に設けられる浴室収納箱であって、浴室内に臨む開口を有してその内部が収納空間となる箱体を設けると共に前記開口に開閉自在な扉を設け、浴室外に設置した浴室暖房乾燥機本体に接続されて吸気が可能なダクトの先端を前記箱体に接続して収納空間と連通し、箱体に吸気管の一端を接続して収納空間と連通すると共に、吸気管の他端を浴室内よりも低湿度の浴室外の空間に連通して成ることを特徴とする浴室収納箱。
【請求項２】
扉と箱体の開口周縁部との間にパッキンを介在させて成ることを特徴とする請求項１記載の浴室収納箱。
【発明の詳細な説明】
【技術分野】
【０００１】
本発明は、浴室暖房乾燥機を備えた浴室に設ける浴室収納箱に関するものである。
【背景技術】
【０００２】
従来から、浴室収納箱を備えた浴室が知られている（例えば特許文献１参照）。浴室収納箱は、浴室内に向けて開口する箱体を浴室壁に埋設等により設置すると共に、箱体の開口に扉を設け、箱体内をシャンプー、リンス等のボトルや洗面用具等を収納する収納空間とするものである。
【０００３】
上記浴室収納箱を備えた浴室においては、ボトルや洗面用具等を箱体内に収納することができるものの、浴室内は高湿度であるため、箱体内に収納した収納物にかびが生えてしまうものであった。
【０００４】
ところで近年、浴室暖房乾燥機を備えた浴室が広く普及してきている（例えば特許文献２参照）。浴室暖房乾燥機は、本体を浴室外に設置すると共にダクトを浴室内に接続して、浴室内の暖房、乾燥及び換気を行うものである。
【特許文献１】特開平８−１３１２６９号公報
【特許文献２】特開２００２−２０６７８２号公報
【発明の開示】
【発明が解決しようとする課題】
【０００５】
そこで、浴室暖房乾燥機を備えた浴室にあっては、浴室暖房乾燥機を有効に利用して浴室収納箱内を乾燥させることが望まれていた。
【０００６】
本発明は上記従来の問題点に鑑みて発明したものであって、その目的とするところは、浴室暖房乾燥機を有効に利用して内部の収納空間を乾燥させることができる浴室収納箱を提供することを課題とするものである。
【課題を解決するための手段】
【０００７】
上記課題を解決するために請求項１に係る発明は、浴室暖房乾燥機１を備えた浴室２に設けられる浴室収納箱３であって、浴室２内に臨む開口３０を有してその内部が収納空間３１となる箱体３２を設けると共に前記開口３０に開閉自在な扉３３を設け、浴室２外に設置した浴室暖房乾燥機本体１１に接続されて吸気が可能なダクト１２の先端を前記箱体３２に接続して収納空間３１と連通し、箱体３２に吸気管３４の一端を接続して収納空間３１と連通すると共に、吸気管３４の他端を浴室２内よりも低湿度の浴室２外の空間に連通して成ることを特徴とするものである。
【０００８】
このような構成とすることで、浴室暖房乾燥機１によって収納空間３１から高湿度の空気を排出すると共に、浴室２内よりも低湿度の空気を収納空間３１内に導入することができて、収納空間３１内を乾燥させて低湿度を維持することが可能となる。
【０００９】
また、請求項２に係る発明は、請求項１に係る発明において、扉３３と箱体３２の開口３０周縁部との間にパッキン３５を介在させて成ることを特徴とするものである。
【００１０】
このような構成とすることで、収納空間３１内の低湿度の維持がより一層確実に行えるものであると共に、パッキン３５が湿気を吸いこんで劣化が促進されることもない。
【発明の効果】
【００１１】
本発明にあっては、浴室暖房乾燥機によって収納空間から高湿度の空気を排出すると共に、浴室内よりも低湿度の空気を収納空間内に導入することができて、浴室に備えた浴室暖房乾燥機を有効に利用して、収納空間内を乾燥させて低湿度を維持することが可能となる。
【発明を実施するための最良の形態】
【００１２】
以下、本発明について添付図面に基づいて説明する。図１に本発明の一実施例の浴室の斜視図を示し、図２には図１とは配置が異なる他例の浴室の正面図を示し、図３に浴室収納箱の斜視図を示す。図１中の符号は浴槽２１を示し、符号は浴室への出入口２２を示す。
【００１３】
浴室２は、浴室暖房乾燥機１を備えている。浴室暖房乾燥機１については一般に普及しているもので、特に限定はされないが、浴室２外（例えば浴室２の天井）に浴室暖房乾燥機本体１１を設置してあり、浴室暖房乾燥機本体１１の内部を直接又はダクト１２を介して浴室２内に連通してあり、浴室暖房乾燥機本体１１から浴室２内に暖気を供給したり、あるいは浴室２内の空気を吸気して浴室２外に排気することで換気を行ったり、あるいは浴室２内の空気を吸気して除湿を行い、再び浴室２内に供給して乾燥を行ったりすることができる。
【００１４】
浴室収納箱３は、前面に浴室２内に臨む開口３０を有する箱体３２を浴室２壁面に埋設固定したり浴室２内に設置することで設け、前記開口３０に開閉自在な扉３３を設け、箱体３２の内部を収納空間３１とするもので、収納空間３１にシャンプー、リンス等のボトルや洗面用具、その他浴室２で使用する物を収納する。扉３３は、その一辺を箱体３２の開口３０周縁部の一辺に丁番等（図示せず）により枢支して開閉自在としている。また、図３に示すように、箱体３２の開口３０周縁部（図３では見えないが開口３０の扉３３を枢支する側の辺を含む全ての辺）にパッキン３５を取り付けて、扉３３と箱体３２の開口３０周縁部との間にパッキン３５が介在するようにしており、扉３３を閉じた時に扉３３と箱体３２との間を介して高湿度の浴室２内の空気が収納空間３１内に侵入しないようにして気密性を高めている。
【００１５】
浴室収納箱３には、浴室暖房乾燥機１のダクト１２の先端が接続されて収納空間３１と連通しており、ダクト１２を介して浴室暖房乾燥機本体１１により収納空間３１の空気を吸気して換気を行うことが可能となっている。そして、収納空間３１の空気を吸気する際に、収納空間３１内に低湿度の空気を導入するための吸気管３４を設けるものである。
【００１６】
吸気管３４は、一端を箱体３２に接続して内部の収納空間３１と連通すると共に、他端を浴室２内よりも低湿度の浴室２外の空間に連通している。浴室２内よりも低湿度の浴室２外の空間としては、例えば浴室２と隣接する脱衣室や、屋根裏や、屋外等が挙げられるが、特に限定されない。吸気管３４は、浴室２の出入口２２を通して浴室２外へと導出したり、浴室２壁を貫通して浴室２外へと導出したり、あるいは箱体３２を浴室２壁面に埋設固定するものにあっては箱体３２の奥壁を貫通して浴室２外へと導出してもよい。
【００１７】
上記浴室収納箱３は、使用者が浴室２内から扉３３を開けてボトルや洗面用具等を収納空間３１に収納し、扉３３を閉める。収納空間３１内の空気は、浴室暖房乾燥機本体１１によってダクト１２を介して吸気されると共に、吸気管３４を介して低湿度の空気が導入される。これにより、収納空間３１内に浴室２内から高湿度の空気が流入しても、この高湿度の空気を浴室暖房乾燥機１によって収納空間３１から排出すると共に、浴室２内よりも低湿度の空気を浴室２外から収納空間３１内に導入することができて、収納空間３１内を乾燥させて低湿度を維持することが可能となる。
【００１８】
また、扉３３と箱体３２の開口３０周縁部との間にパッキン３５を介在させるには、収納空間３１内を乾燥させて低湿度を維持することができないと、パッキン３５が湿気を吸いこんで劣化が促進されてしまうため、パッキン３５を設けようとするとパッキン３５を頻繁に交換する必要があると共に手間がかかるという問題があり、従来はパッキン３５を設けるのを回避してきたが、本発明のように収納空間３１内を乾燥させて低湿度を維持することが可能であると、パッキン３５が湿気を吸いこんで劣化が促進されることがないため、パッキン３５を設けても上記のような問題がなく、パッキン３５により収納空間３１内の低湿度の維持がより一層確実に行えるものである。
【図面の簡単な説明】
【００１９】
【図１】本発明の一実施例の浴室の斜視図である。
【図２】本発明の他の実施例の浴室の正面図である。
【図３】浴室収納箱の斜視図である。
【符号の説明】
【００２０】
１    浴室暖房乾燥機
１１  浴室暖房乾燥機本体
１２  ダクト
２    浴室
２１  浴槽
２２  出入口
３    浴室収納箱
３０  開口
３１  収納空間
３２  箱体
３３  扉
３４  吸気管
３５  パッキン
【図１】
2009052852.tif 000003
【図２】
2009052852.tif 000004
【図３】
2009052852.tif 000005